(57)【特許請求の範囲】
【請求項１】
ベビーシートの左右一対のアームレストと、
前記左右のアームレストの間に掛け渡し、着席した幼児を座席内に保護するガードアームと、
前記左右のアームレストの少なくとも一方のアームレストに位置し、前記ガードアームの一端部を着脱可能に連結するロック装置とを備えているベビーシート用のガードアームのロック機構において、
前記ガードアームの前記一端部には、
前記一方のアームレストに向かって突出するシャフトと、
前記シャフトの外周から半径方向外向きにスライド可能に突出するロックピンとを備え、
前記ロック装置には、
前記ガードアームのシャフトを挿入する挿入穴と、
前記挿入穴内に位置し、前記ガードアームの前記ロックピンがはまり込むロック溝と、
前記ロック溝に臨み、前記ロック溝内にはまり込んだ前記ロックピンを非突出方向に押し込むスライドレバーと、
前記スライドレバーが前記ロックピンに向かってスライドするのを常には阻止し、回転操作によりスライドレバーから離隔し、前記スライドレバーのスライドを許容する回転レバーとを備えていることを特徴とするベビーシート用ガードアームのロック機構。
【請求項２】
ガードアームのシャフトは、ロック装置の挿入穴内に回転可能に支持されていることを特徴とする請求項１記載のベビーシート用ガードアームのロック機構。
【請求項３】
回転レバーは、スライドレバーに接近する方向に付勢手段により付勢され、
前記回転レバーと前記スライドレバーとの間には、前記回転レバーが付勢手段の付勢力により前記スライドレバーに接近する際に、前記スライドレバーを復帰させるテーパー面を設けていることを特徴とする請求項１又は請求項２記載のベビーシート用ガードアームのロック機構。
【発明の詳細な説明】
【０００１】
【発明の属する技術分野】
この発明は、ベビーシート用ガードアームのロック機構に関し、ベビーシートは例えばベビーカーや、自動車用のチャイルドシート、或いは幼児用のラックやチェア等に使用され、又、ガードアームは着席した幼児が座席から落下するのを防止するものである。
【０００２】
【従来の技術】
この種のロック機構としては、アームレストに挿入穴を設け、これと対向するガードアームの一端部には、アームレストに挿入穴に挿入可能なシャフトを設けている（例えば特願平７−２５６０３２号（特開平９−９５２４０号公報））。
上記シャフトには、外周から半径方向外向きにスライド可能に突出するロックピンを設け、このロックピンをガードアーム側のプッシュボタンにより出没させている。
【０００３】
そして、プッシュボタンの誤動作を防止するため、ガードアーム側には別な解除ボタンを設け、この解除ボタンを押しながら、プッシュボタンが押された際に、ロックピンが引っ込むようにしている。
また、解除ボタンなどの安全装置の無いロック装置としては、例えば実開昭５４−１７８３６１号公報、実開平１−６８９７８号公報、実公平５−３４４７２号公報、実開平７−２２８８３号公報等がある。
【０００４】
また、ロック装置は関係がないが、ベビーシートの折り畳み機構としては、例えば実公昭６３−４２０６３号公報、実願平６−３７０５０号公報、実開平７−１７６８３号公報、特開平８−１１９１１４号公報等がある。
【０００５】
【発明が解決しようとする課題】
しかし、上記した解除ボタン付きロック機構は、ガードアーム側に位置していたので、ガードアームの構造が複雑となり、重量の増加が第１の問題となる。
また、ガードアームの２個のボタンを押しながら、そのシャフトを抜くのが困難であり、操作がし難いという第２の問題点がある。
【０００６】
そこで、請求項１〜３記載の発明は、上記した従来の技術の有する第１、第２の問題点に鑑みてなされたものであり、その目的とするところは、次の点にある。
（請求項１）
すなわち、請求項１記載の発明は、次の３つの点を目的とする。
【０００７】
第１に、ロック機構をガードアーム側からアームレスト側に移動することで、ガードアームの構造を簡便にでき、その軽量化を行うことができるようにした。
第２に、アームレスト側でロックの解除が行えるので、ガイドアームの抜き取りを簡便に行うことができるようにしたものである。
第３に、ロック解除時の２個のレバーの操作方向が異なる、すなわちスライドと回転とであるので、誤操作を一層確実に防止することができるようにしたものである。
（請求項２）
請求項２記載の発明は、上記した請求項１記載の発明の目的に加え、次の点を目的とする。
【０００８】
すなわち、ガードアームをアームレストに対して回転できるので、幼児の昇降を容易に行うことができるようにしたものである。
（請求項３）
請求項３記載の発明は、上記した請求項１又は請求項２記載の発明の目的に加え、次の点を目的とする。
【０００９】
すなわち、回転レバーの付勢手段を、スライドレバーの復帰用に兼用することができるようにしたものである。
【００１０】
【課題を解決するための手段】
（特徴点）
各請求項にそれぞれ記載された各発明は、上記した各目的を達成するためになされたものであり、各発明の特徴点を図面に示した発明の実施の形態を用いて、以下に説明する。
（請求項１）
請求項１記載の発明は、次の２つの点を特徴とする。
【００１１】
第１に、ガードアーム(60)の一端部には、例えば図１に示すように、シャフト(61)と、ロックピン(62)とを備える。
上記シャフト(61)と、ロックピン(62)とを、ガードアーム(60)の左右の両端部にそれぞれ設けても良い。
上記シャフト(61)は、例えば図１に示すように、一方のアームレスト(50,51)に向かって突出するものである。
【００１２】
前記ロックピン(62)は、例えば図１に示すように、シャフト(61)の外周から半径方向外向きにスライド可能に突出するものである。
なお、ロックピン(62)を、例えば図５に示すように、突出ばね(63)のばね力に突出させたが、これに限らず、板ばねを使用したり、或いは自身の弾性により突出させても良い。
【００１３】
第２に、ロック装置(100)には、例えば図４〜６に示すように、挿入穴(111)と、ロック溝(113)と、スライドレバー(120)と、回転レバー(130)とを備える。
なお、ロック装置(100)は、左右一対のアームレスト(50,51)にそれぞれ設けても良い。
上記挿入穴(111)は、例えば図４，５に示すように、ガードアーム(60)のシャフト(61)を挿入するものである。
【００１４】
前記ロック溝(113)は、例えば図５に示すように、挿入穴(111)内に位置し、ガードアーム(60)のロックピン(62)がはまり込むものである。
前記スライドレバー(120)は、例えば図４〜６に示すように、ロック溝(113)に臨み、ロック溝(113)内にはまり込んだロックピン(62)を非突出方向に押し込むものである。
【００１５】
前記回転レバー(130)は、例えば図４〜６に示すように、スライドレバー(120)がロックピン(62)に向かってスライドするのを常には阻止するものである。
また、回転レバー(130)は、例えば図７，８に示すように、回転操作によりスライドレバー(120)から離隔し、スライドレバー(120)のスライドを許容するものである。
（請求項２）
請求項２記載の発明は、上記した請求項１記載の発明の特徴点に加え、次の点を特徴とする。
【００１６】
すなわち、ガードアーム(60)のシャフト(61)は、ロック装置(100)の挿入穴(111)内に回転可能に支持されている。
例えば図１に示すように、シャフト(61)と挿入穴(111)とを共に円形として、回転を可能としている。
（請求項３）
請求項３記載の発明は、上記した請求項１又は請求項２記載の発明の特徴点に加え、次の２つの点を特徴とする。
【００１７】
第１に、回転レバー(130)は、例えば図４，６に示すように、スライドレバー(120)に接近する方向に付勢手段（例えば復帰ばね140）により付勢されている。上記付勢手段として、復帰ばね(140)を例示したが、これに限らず、板ばねを用いたり、或いは自身を弾性体で形成しても良い。
第２に、回転レバー(130)と前記スライドレバー(120)との間には、例えば図４に示すように、回転レバー(130)が付勢手段（例えば復帰ばね140）の付勢力によりスライドレバー(120)に接近する際に、スライドレバー(120)を復帰させるテーパー面(124)を設けている。
【００１８】
なお、スライドレバー(120)にテーパー面(124)を設けたが、逆に回転レバー(130)に設けたり、或いは両者に設けても良い。
【００１９】
【発明の実施の形態】
（図面の説明）
図１〜１７は、本発明の実施の形態の一例を示すものである。
図１は、ガードアームをアームレストから取り外した状態を示す斜視図を示す。
【００２０】
図２，３は、ベビーカーの斜視図をそれぞれ示し、図２は使用状態を示し、図３は折り畳んだ状態を示す。
図４〜８は、ロック装置を示し、図４は分解斜視図を示す。
図５，６は、ロック装置のロック状態を示し、図５は横断面図、図６は縦断面図をそれぞれ示す。
【００２１】
図７，８は、ロック装置のロックの解除状態を示し、図７は図５に対応する横断面図、図８は図６に対応する縦断面図をそれぞれ示す。
図９は、ベビーカーの折り畳み機構の概略斜視図を示す。
図１０〜１７は、ベビーカーの折り畳み機構の操作装置をそれぞれ示し、このうち、図１０〜１３はベビーカーの展開状態をそれぞれ示し、図１４以降は折り畳み状態をそれぞれ示す。
【００２２】
図１０〜１３は、ベビーカーの展開状態をそれぞれ示し、図１０は、操作装置の上側の横断面図、図１１は縦断面図、図１２は下側の横断面図、図１３は手前側の断面図をそれぞれ示す。
図１４以降は、ベビーカーの折り畳み状態をそれぞれ示し、図１４は図１０に対応し、操作装置の上側の横断面図、図１５は、図１２に対応し、操作装置の下側の横断面図をそれぞれ示す。
【００２３】
図１６，１７は、図１３にそれぞれ対応し、操作装置の手前側の断面図であって、図１６はロックの解除状態を示し、図１７はロック状態をそれぞれ示す。
（ベビーカー）
図２中、10は、ベビーシートを有するベビーカーを示すものであり、このベビーカー10は、図３に示すように、折り畳み式のものである。
【００２４】
なお、ベビーシートは、ベビーカーに限らず、自動車用のチャイルドシート、或いは幼児用のラックやチェア等に使用できる。
上記ベビーカー10は、図２,３に示すように、大別すると、キャスターを有する左右一対の前脚20,21、同じくキャスターを有する左右一対の後脚30,31、折り畳み可能なハンドル40、左右一対のアームレスト50,51、左右のアームレスト50,51の間に掛け渡された着脱可能なガードアーム60を備える。
【００２５】
上記左右の前脚20,21の間には、図２，３に示すように、折り畳み可能な前側連結バー22が掛け渡されている。
前記左右の後脚30,31の間には、図２，３に示すように、折り畳み可能な後側連結バー32が掛け渡されている。
また、左右の前脚20,21と後述する左右の各ブラケット82との間、すなわち、図２，３に示すように、左側の前脚20と左側のブラケット82との間と、右側の前脚21と右側のブラケット82との間には、折り畳み可能な左右の連結バー70,71がそれぞれ掛け渡されている。
【００２６】
さらに、左右の連結バー70,71の間にも、図２，３に示すように、折り畳み可能な上側連結バー72が掛け渡されている。
一方、上記ベビーカー10には、図２，３，９に示すように、折り畳み機構80が設けられている。
上記折り畳み機構80として、図９に示すように、ハンドル40の左右のパイプ40,41の各下端部には、ロックレバー81をそれぞれ軸止している。また、左右の後脚30,31の長さの途中には、上記左右のロックレバー81にそれぞれかみ合うブラケット82をそれぞれ軸止している。
【００２７】
そして、図９に示すように、左右の各ロックレバー81が左右の各ブラケット82にそれぞれかみ合った状態では、ベビーカー10は、図２に示すように、使用可能な展開状態に保持される。
これに対し、ハンドル40の上方には、図９に示すように、折り畳み機構80の操作装置90が設けられている。
【００２８】
そして、上記操作装置90を操作すると、図３に示すように、左右の各ロックレバー81が上方にそれぞれ移動し、左右の各ブラケット82とのかみ合いがそれぞれ外れ、ベビーカー10が携帯に便利なように折り畳まれる。
また、前記ガードアーム60は、図１に示すように、左右のアームレスト50,51の先端部にそれぞれ固定されたロック装置100により着脱が可能となっている。
（ガードアーム）
上記ガードアーム60は、屈曲できる材料により構成され、図３に示すように、上方に向かってＵ字状に湾曲できるようになっている。
【００２９】
そして、ガードアーム60の左右両端部には、図１に示すように、円筒形のシャフト61がそれぞれ固定されている。
上記各シャフト61の根元付近には、図１に示すように、その外周から半径方向外向きにスライド可能に突出するロックピン62を取り付けている。
上記ロックピン62は、図５に示すように、突出ばね63により突出方向に付勢されている。
（ロック装置）
前記ロック装置100は、図４に示すように、大別すると、ガードアーム60のシャフト61を挿入する挿入穴111を有するカバー110、カバー110の挿入穴111内に挿入され、ロックされたロックピン62を押圧することで、そのロック状態を解除するスライドレバー120、このスライドレバー120のスライドを阻止し、ロック状態が不用意に解除されるのを阻止する安全対策用の回転レバー130、スライドレバー120のスライドを阻止すべく、回転レバー130を常時は作動状態とする復帰ばね140、カバー110の挿入穴111内に挿入されたシャフト61を案内するガイドフォルダー150を備える。
（ロック装置、カバー）
上記カバー110の内面には、図４に示すように、挿入穴111の周囲に沿って円筒形に突出した環状リブ112を形成している。
【００３０】
このため、ガードアーム60のシャフト61も円筒形であることから、環状リブ112内に挿入されると、その内周である挿入穴111中に回転可能に保持される。
なお、シャフト61の回転が必要ない場合には、シャフト61及び挿入穴111を非円形としても良い。
そして、カバー110は、図５に示すように、右側アームレスト51に取り付けると、カバー110の環状リブ112の端面と、アームレスト51の端面との間に、挿入穴111内に挿入されるロックピン62がはまり込む環状のロック溝113が形成される。
【００３１】
なお、右側アームレスト51について説明したが、左側アームレスト50についても同様に取り付け可能である。
また、カバー110の内面には、図４に示すように、復帰ばね140の一端部を係止するボス114を突出している。
さらに、カバー110の表面には、図１に示すように、その挿入穴111内に挿入されるロックピン62に当接し、ロックピン62を押し込むためのガイド溝115が設けられている。
（ロック装置、スライドレバー）
前記スライドレバー120は、図４〜６に示すように、カバー110から突出した操作部121と、この操作部121からＣ字形に延び、ロックピン62を押し込むための押圧部122とを備える。
【００３２】
上記押圧部122は、図５に示すように、ロック溝113内にスライド可能に保持され、操作部121が押し込まれることで、ロック溝113内をスライドし、当該ロック溝113内に突出したロックピン62を押し込むことができるようになっている。
なお、押圧部122をＣ字形としたのは、ガードアーム60のシャフト61がカバー110の挿入穴111中で回転した際にも、ロックピン62を押圧できるようにするためである。
【００３３】
上記押圧部122の表面には、図４に示すように、回転レバー130に向かって突出し、そのロック部132に係合する係合突起123を突出する。
上記係合突起123は、図５に示すように、回転レバー130のロック部132に常時は当接し、スライドレバー120が不用意に押し込まれるのを防止している。
これに対し、回転レバー130が回転されると、図７に示すように、そのロック部132がスライドレバー120の係合突起123から離れることで、スライドレバー120の押し込みが可能となる。
【００３４】
前記係合突起123の端面には、図４に示すように、回転レバー130のロック部132に当接し、斜めに傾斜したテーパー面124が設けられている。
上記テーパー面124は、回転レバー130が復帰ばね140のばね力により戻り回転するときに、ロック部132に当接し、スライドレバー120を押し戻す方向にスライドさせる。このため、スライドレバー120を押し込み後、手を離すと、スライドレバー120は、復帰ばね140のばね力により、押し戻されて復帰する。
【００３５】
このように、復帰ばね140を、スライドレバー120と回転レバー130との復帰用に兼用できる。
なお、テーパー面124は、スライドレバー120の係合突起123に設けたが、逆に回転レバー130のロック部132に設けても良いし、或いは両者に設けても良い。
また、テーパー面124を使用せずに、復帰ばね140とは別に、スライドレバー120に専用のばねを設けても良い。
（ロック装置、回転レバー）
前記回転レバー130は、図４に示すように、カバー110の環状リブ112の外径に等しい内径を有するドーナツ形を成し、環状リブ112を中心に回転可能できるようにしている。
【００３６】
また、上記回転レバー130には、図４に示すように、カバー110から突出した操作部131と、この操作部131と反対側に位置し、半径方向に矩形に突出したロック部132とを有する。
上記操作部131側には、図４，６に示すように、復帰ばね140の他端部を係止する係止穴133を設けている。
（ロック装置、復帰ばね）
したがって、復帰ばね140の一端部は、図４，６に示すように、カバー110のボス114に、又、復帰ばね140の他端部は、上記した回転レバー130の係止穴133にそれぞれ係止されることから、回転レバー130は、カバー110の環状リブ112を中心に、反時計回りに付勢される。
（ロック装置、ガイドホルダー）
前記ガイドホルダー150は、図４に示すように、ガードアーム60のシャフト61の外径にほぼ等しい内径を有する円筒形を成している。
【００３７】
そして、ガイドホルダー150の外周には、図４に示すように、半径方向に方形に張り出したフランジ部151を設けている。
これに対し、右側アームレスト51にも、図５に示すように、ガイドホルダー150のフランジ部151を差し込む差込溝52を設けている。そして、差込溝52にガイドホルダー150のフランジ部151を差し込むことで、ガイドホルダー150を右側アームレスト51に固定している。
（ロック装置の使用方法）
つぎに、上記した構成を備えたロック装置100の使用方法について以下に説明する。
【００３８】
まず、図５に示すように、ガードアーム60が右側アームレスト51のロック装置100に固定された状態において、ガードアーム60を取り外すには、ロック装置100のスライドレバー120と回転レバー130とを同時に操作する。
すなわち、回転レバー130を時計回りに回転させながら、図８に示すように、スライドレバー120を押し込む。
【００３９】
これにより、回転レバー130のロック部132が、図７，８に示すように、スライドレバー120の係合突起123から離れる。
このため、スライドレバー120の押し込みが可能となり、スライドレバー120が押し込まれると、図７に示すように、その押圧部122により、ガードアーム60のロックピン62を押圧する。
【００４０】
このため、ガードアーム60のロックピン62がスライドレバー120の押圧部122に押されて、図７に示すように、ロック溝113から引っ込む。
この状態で、ガードアーム60を引き抜くと、ロックピン62が引っ込んだままロック溝113から環状リブ112内を通過して、図１に示すように、ロック装置100の挿入穴111を抜け出る。
【００４１】
このようにして、ガードアーム60のシャフト61を、図１に示すように、ロック装置100の挿入穴111から抜き取ることで、ガードアーム60を右側アームレスト51から取り外すことができる。
こうして、ガードアーム60の右側のシャフト61を右側アームレスト51から取り外すだけで、左側アームレスト50に取り付けられたロック装置100の挿入穴111内に左側のシャフト61が挿入された状態で回転でき、図示しないが、ガードアーム60を跳ね上げることができ、幼児の昇降が可能となる。
【００４２】
勿論、ガードアーム60の左側のシャフト61を、同様にして左側アームレスト50から取り外して、幼児の昇降を行っても良い。
一方、ロックピン62は、図１に示すように、カバー110の挿入穴111を抜け出ると、シャフト61内の突出ばね63のばね復元力により再度、突出する。
また、回転レバー130から手が離されると、復帰ばね140のばね復元力により、回転レバー130が反時計回りに戻り回転する。
【００４３】
このとき、回転レバー130のロック部132と、スライドレバー120のテーパー面124とが当接する。
このため、復帰ばね140のばね復元力により、反時計回りに戻り回転する回転レバー130のロック部132に、テーパー面124が押されて、スライドレバー120が再度、突出する。
【００４４】
なお、ガードアーム60を取り外す際に、回転レバー130を回転せずに、スライドレバー120だけを押し込むもうとしても、図５，６に示すように、その押し込み方向前方に位置する回転レバー130のロック部132に、スライドレバー120の係合突起123が当接することで、スライドレバー120の押し込みが不能となっている。
【００４５】
このため、スライドレバー120だけを押し込んでも、ロック装置100のロック状態が解除できなくなっている。
なお、スライドレバー120を押し込むことなく、回転レバー130だけを回転しても、ガードアーム60のロックピン62を押し込むことができないので、ロック装置100のロック状態を解除できないことは勿論である。
【００４６】
一方、ガードアーム60を取り付けるには、図１に示すように、そのシャフト61をロック装置100の挿入穴111に合わせて押し込めば良い。
シャフト61が挿入穴111に挿入されると、そのロックピン62がカバー110のガイド溝115に当接する。
ここで、シャフト61が強く押し込まれると、ロックピン62がガイド溝115に押されて引っ込み、挿入穴111内にはまり込む。
【００４７】
さらに、シャフト61が押し込まれると、ロックピン62は、引っ込んだまま、環状リブ112内を通過してロック溝113に達する。
ロックピン62がロック溝113に達すると、図５に示すように、突出ばね63のばね復元力により再度、ロック溝113内に突出する。
このため、シャフト61が挿入穴111中から抜けなくなり、ガードアーム60が右側アームレスト51に固定される。
【００４８】
なお、左側アームレスト50についても、同様にガードアーム60に固定することができる。
（折り畳み機構、操作装置）
前記折り畳み機構80の操作装置90は、図９〜１３に示すように、ハンドル40の中央に位置し、左右一対のヒンジ200,201を介して左右のパイプ41,42を連結したフレーム210、このフレーム210を覆う上下のケース220,221、上下のケース220,221の間にスライド可能に取り付けられ、ベビーカー10の折り畳み操作をするための操作レバー230、操作レバー230を押し込むことで回転し、ワイヤー240を介して前記左右のロックレバー81を上方にそれぞれ移動させ、左右のブラケット82とのかみ合いを外し、ベビーカー10の折り畳みを可能とするプーリ250、上下のケース220,221にスライド可能に取り付けられ、前記操作レバー230の押し込みを阻止するセーフティレバー260を備える。
（操作装置、フレーム）
上記フレーム210の左右両端部には、図１３に示すように、略三角形状に突出した左右一対のヒンジストッパ211を設けている。
【００４９】
これに対し、左右の各ヒンジ200,201には、図１３に示すように、ブロック形に横向きに突出し、各ヒンジ200,201の回転によりフレーム210の左右のヒンジストッパ211にそれぞれ係合する係合片202,202をそれぞれ設けている。
上記左右の各ヒンジ200,201の各係合片202は、図１３に示すように、ベビーカー10が展開した使用状態において、フレーム210の左右の各ヒンジストッパ211にそれぞれ当接することで、左右のヒンジ200,201の最大回転角度を規制している。
【００５０】
一方、フレーム210の上面には、図１２に示すように、前記プーリ250の回転軸212が軸止されている。
上記回転軸212には、図１１，１２に示すように、プーリ250の下側にリング270を軸止している。
上記リング270と左右の各ヒンジ200,201との間には、図１２に示すように、左右一対のリンク280,281を設けている。
【００５１】
このため、ハンドル40の左右のパイプ41,42の一方が、図１５に示すように、当該ヒンジ200,201を中心に回転すると、この回転力が左右一対のリンク280,281及びリング270を介して他方のヒンジ200,201に伝達される。
したがって、左右のヒンジ200,201が、等しい角度で同時に回転し、折り畳み時に左右のヒンジ200,201を左右対称に回転させることができる。
【００５２】
また、フレーム210の側面には、図１３に示すように、ほぼ中央にピニオン290を軸止している。
上記ピニオン290の上下には、図１３に示すように、ピニオン290にそれぞれかみ合う左右のラック300,301が左右方向にスライド可能に支持している。
（操作装置、ケース）
前記下側ケース221の内面には、図１０，１１に示すように、上側ケース220に向かって上方に延びたばね受け222を設けている。
【００５３】
上記ばね受け222と操作レバー230との間で、図１０，１１に示すように、圧縮ばね310を弾縮し、圧縮ばね310のばね復元力により操作レバー230を上下のケース220,221の外側に向かって突出させている。
（操作装置、操作レバー）
前記操作レバー230には、図１０，１１に示すように、前記プーリ250に向かって延びた駆動レバー231を設けている。
【００５４】
上記駆動レバー231の先端部は、図１１に示すように、上方に向かって断面Ｌ字形に屈曲している。
（操作装置、プーリ）
前記プーリ250の上面には、図１０，１１に示すように、フレーム210の回転軸212から偏心させた位置に、操作レバー230の駆動レバー231に向かって上方に延びた駆動ピン251を設けている。
【００５５】
これに対し、駆動レバー231には、駆動ピン251がはまり込み、左右方向に長い長穴232を設けている。
このため、操作レバー230が押し込まれると、図１４に示すように、駆動レバー231及び駆動ピン251を介して、プーリ250が図中、時計回りに回転する。
このとき、プーリ250の回転により、左右のワイヤー240がプーリ250に巻き取られる。
【００５６】
このため、左右のワイヤー240が上昇することで、左右のロックレバー81を上方にそれぞれ移動させ、左右のブラケット82とのかみ合いがそれぞれ外れてベビーカー10の折り畳みが可能となる。
また、プーリ250の外周には、図１０に示すように、左側ラック300に向かって延びた爪部252を設けている。
（操作装置、ラック）
前記左側ラック300には、図１０，１３に示すように、その側面からプーリ250に向かってコ字形に突出し、プーリ250の爪部252に引っ掛かる受枠302を設けている。
【００５７】
このため、操作レバー230が押し込まれてプーリ250が回転すると、図１４に示すように、その爪部252が左側ラック300の受枠302に当接する。
そして、プーリ250が更に回転すると、図１４に示すように、その爪部252で左側ラック300の受枠302を、同方向の左側ヒンジ200から離れる方向に押す。
このため、左側ラック300が同方向の左側ヒンジ200から離れる方向にスライドし、このとき、ピニオン290を介して他方の右側ラック301も、同様に同方向の右側ヒンジ201から離れる方向にスライドする。
【００５８】
また、左右のラック300,301は、図１０に示すように、それぞれ同方向に位置する左右のヒンジ200,201との間、すなわち、左側ラック300と左側ヒンジ200との間、及び右側ラック301と右側ヒンジ201との間に、それぞれ引張ばね320を掛け渡している。
このため、左側ラック300は、図１０に示すように、引張ばね320により、左側ヒンジ200に接近する方向に付勢されている。
【００５９】
また、右側ラック301は、図１０に示すように、引張ばね320により、右側ヒンジ201に接近する方向に付勢されている。
さらに、左右のラック300,301には、図１３に示すように、それぞれ同方向の左右のヒンジ200,201に向かった端部に、当該左右のヒンジ200,201に向かって突出した先端部303,304をそれぞれ設けている。すなわち、左側ラック300の先端部303は、左側ヒンジ200に向かって突出している。また、右側ラック301の先端部304は、右側ヒンジ201に向かって突出している。
【００６０】
上記左右のラック300,301の各先端部303,304は、図１３に示すように、先細り状に略台形形に細く形成されている。
（操作装置、ヒンジ）
前記左右のヒンジ200,201の各外周には、図１３に示すように、左右のラック300,301の各先端部303,304がはまり込む２個のロック穴203,204をそれぞれ設けている。
【００６１】
上記２個のロック穴203,204のうち、一方の展開側ロック穴203は、図１３に示すように、ベビーカー10の展開状態において、左右のラック300,301の各先端部303,304がはまり込む位置に設定されている。
これに対し、２個のロック穴203,204のうち、他方の折畳側ロック穴204は、図１７に示すように、ベビーカー10の折畳状態において、左右のラック300,301の各先端部303,304がはまり込む位置に設定されている。
（操作装置、セーフティレバー）
前記セーフティレバー260には、図１０，１１に示すように、操作レバー230の駆動レバー231に向かって延びたスライド阻止片261を設けている。
【００６２】
このため、セーフティレバー260は、図１０,１１に示すように、常時はスライド阻止片261が操作レバー230の押し込み方向に位置し、スライド阻止片261が駆動レバー231の上方に向かって断面Ｌ字形に屈曲した先端部に当接し、操作レバー230が不用意に押し込まれのを防止している。
これに対し、セーフティレバー260をスライドさせると、図１４に示すように、スライド阻止片261が操作レバー230の駆動レバー231から離隔する。
【００６３】
このため、図１４に示すように、操作レバー230の押し込みが可能となる。
（折り畳み機構、使用方法）
つぎに、上記した構成を備えた折り畳み機構80の使用方法について説明する。
まず、図２に示すように、展開されて使用可能状態にあるベビーカー10を折り畳むには、セーフティレバー260を、図１４に示すように、向かって右側にスライドする。
【００６４】
このとき、セーフティレバー260のスライド阻止片261が、図１４に示すように、操作レバー230の駆動レバー231から離隔する。
つぎに、操作レバー230を、図１４に示すように、押し込む。
これにより、プーリ250が、図１４に示すように、時計回りに回転する。
プーリ250が回転すると、図１４に示すように、その爪部252により左側ラック300の受枠302が押されて、図１６に示すように、左右のラック300,301がピニオン290を介して互いに接近する方向にスライドする。
【００６５】
このため、左右のラック300,301の各先端部303,304が、図１６に示すように、左右のヒンジ200,201の各展開側ロック穴203から抜けるため、左右のヒンジ200,201の回転が可能となる。
また、プーリ250が回転することで、左右のワイヤー240が巻き取られ、左右のワイヤー240を介して左右のロックレバー81が上方にそれぞれ移動する。
【００６６】
このため、左右の各ロックレバー81と、左右の各ブラケット82とのかみ合いがそれぞれ外れ、図３に示すように、各連結バー22,32,72がそれぞれ折り畳まれて、ベビーカー10を携帯に便利なように折り畳める。
このとき、ハンドル40の左右のパイプ41,42も、図１５，１６に示すように、左右のヒンジ200,201を中心に回転して折り畳まれる。
【００６７】
そして、左右のパイプ41,42の一方が、図１５に示すように、当該ヒンジ200,201を中心に回転すると、この回転力が左右一対のリンク280,281及びリング270を介して他方のヒンジ200,201に伝達され、左右のヒンジ200,201が左右対称に回転する。
こうして、左右のヒンジ200,201が回転し、図１７に示すように、左右のラック300,301の各先端部303,304が、左右のヒンジ200,201の各折畳側ロック穴204の位置まで回転すると、左右の各引張ばね320のばね復元力により、各先端部303,304が各折畳側ロック穴204内に突出してはまり込む。
【００６８】
このため、左右のヒンジ200,201の回転が阻止され、ベビーカー10は、図３に示すように、折り畳まれた状態にロックされる。
一方、ベビーカー10を展開して使用するには、再度、図１４に示すように、操作レバー230を押し込めば良い。
これにより、左右のラック300,301の各先端部303,304が、左右のヒンジ200,201の各折畳側ロック穴204からそれぞれ抜け、左右のラック300,301の回転が再度、可能となる。
【００６９】
このため、ベビーカー10のハンドル40を、放り投げるように少し揺すると、各連結バー22,32,72が直線的に延び、図２に示すように、ベビーカー10が展開して使用可能となる。
このとき、ハンドル40の左右のパイプ41,42も、図１０〜１３に示すように、左右のヒンジ200,201を中心に回転し、フレーム210を介して直線的になる。
【００７０】
このとき、左右のヒンジ200,201が回転し、図１３に示すように、左右のラック300,301の各先端部303,304が、左右のヒンジ200,201の各展開側ロック穴203の位置まで回転すると、左右の各引張ばね320のばね復元力により、各先端部303,304が各展開側ロック穴203内にそれぞれはまり込む。
このため、左右のヒンジ200,201の回転が阻止され、ベビーカー10は、図２に示すように、展開して使用可能な状態にロックされる。
【００７１】
その後、セーフティレバー260を、図１０に示すように、向かって左側にスライドさせて、復帰させる。
これにより、セーフティレバー260のスライド阻止片261が、図１０に示すように、操作レバー230の駆動レバー231の押し込み方向前方にスライドする。
このため、操作レバー230の押し込みが不能となり、操作レバー230が不用意に押し込まれて、ベビーカー10が折り畳まれたり、不安定な状態になるのを防止できる。
【００７２】
【発明の効果】
本発明は、以上のように構成されているので、以下に記載されるような効果を奏する。
（請求項１）
請求項１記載の発明によれば、次の３つの効果を奏する。
第１に、ロック機構をガードアーム側からアームレスト側に移動することで、ガードアームの構造を簡便にでき、その軽量化を行うことができる。
【００７３】
第２に、アームレスト側でロックの解除が行えるので、ガイドアームの抜き取りを簡便に行うことができる。
第３に、ロック解除時の２個のレバーの操作方向が異なる、すなわちスライドと回転とであるので、誤操作を一層確実に防止することができる。
（請求項２）
請求項２記載の発明によれば、上記した請求項１記載の発明の効果に加え、次のような効果を奏する。
【００７４】
すなわち、ガードアームをアームレストに対して回転できるので、幼児の昇降を容易に行うことができる。
（請求項３）
請求項３記載の発明によれば、上記した請求項１又は請求項２記載の発明の効果に加え、次のような効果を奏する。
【００７５】
すなわち、回転レバーの付勢手段を、スライドレバーの復帰用に兼用することができる。
【図面の簡単な説明】
【図１】ガードアームをアームレストから取り外した状態を示す斜視図である。
【図２】ベビーカーの使用状態を示す斜視図である。
【図３】図２に対応し、ベビーカーの折畳状態を示す斜視図である。
【図４】ロック装置の分解斜視図である。
【図５】ロック装置のロック状態を示す横断面図である。
【図６】ロック装置のロック状態を示す縦断面図である。
【図７】図５に対応し、ロック装置のロックの解除状態を示す横断面図である。
【図８】図６に対応し、ロック装置のロックの解除状態を示す縦断面図である。
【図９】ベビーカーの折畳機構の概略斜視図である。
【図１０】ベビーカーの展開状態を示し、操作装置の上側の横断面図である。
【図１１】ベビーカーの展開状態を示し、操作装置の縦断面図である。
【図１２】ベビーカーの展開状態を示し、操作装置の下側の横断面図である。
【図１３】ベビーカーの展開状態を示し、操作装置の手前側の断面図である。
【図１４】図１０に対応し、ベビーカーの折畳状態を示す操作装置の上側の横断面図である。
【図１５】図１２に対応し、ベビーカーの折畳状態を示す操作装置の下側の横断面図である。
【図１６】図１３に対応し、ベビーカーの折畳状態を示であって、ロックの解除状態を示し、操作装置の手前側の断面図である。
【図１７】図１３に対応し、ベビーカーの折畳状態を示であって、ロック状態を示し、操作装置の手前側の断面図である。
【符号の説明】
10  ベビーカー          20,21  前脚
22  前側連結バー        30,31  後脚
32  後側連結バー        40  ハンドル
41,42  パイプ           50,51  アームレスト
52  差込溝              60  ガードアーム
61  シャフト            62  ロックピン
63  突出ばね            70,71  左右の連結バー
72  上側連結バー        80  折り畳み機構
81  ロックレバー        82  ブラケット
90  操作装置           100  ロック装置
110  カバー             111  挿入穴
112  環状リブ           113  ロック溝
114  ボス               115  ガイド溝
120  スライドレバー     121  操作部
122  押圧部             123  係合突起
124  テーパー面         130  回転レバー
131  操作部             132  ロック部
133  係止穴             140  復帰ばね
150  ガイドホルダー     151  フランジ部
200,201  ヒンジ         202  係合片
203  展開側ロック穴     204  折畳側ロック穴
210  フレーム           211  ヒンジストッパ
212  回転軸             220,221  上下のケース
222  ばね受け           230  操作レバー
231  駆動レバー         232  長穴
240  ワイヤー           250  プーリ
251  駆動ピン           252  爪部
260  セーフティレバー   261  スライド阻止片
270  リング             280,281  左右のリンク
290  ピニオン           300,301  左右のラック
302  受枠               303,304  先端部
310  圧縮ばね           320  引張ばね
【図１】
0003746110.tif 000002
【図２】
0003746110.tif 000003
【図３】
0003746110.tif 000004
【図４】
0003746110.tif 000005
【図５】
0003746110.tif 000006
【図６】
0003746110.tif 000007
【図７】
0003746110.tif 000008
【図８】
0003746110.tif 000009
【図９】
0003746110.tif 000010
【図１０】
0003746110.tif 000011
【図１１】
0003746110.tif 000012
【図１２】
0003746110.tif 000013
【図１３】
0003746110.tif 000014
【図１４】
0003746110.tif 000015
【図１５】
0003746110.tif 000016
【図１６】
0003746110.tif 000017
【図１７】
0003746110.tif 000018